(57)【要約】      （修正有）【課題】より少ない衝撃吸収と、ラケットネットのより大きな張力と、向上された打力と、向上された羽根の制御とを実現するバドミントン用ラケットを提供する。【解決手段】バドミントン用ラケットは、ラケット本体１０と、ラケットネット２０とを備える。ラケット本体１０は、環状の枠１１と、グリップ付きの柄１２とを備える。柄１２は枠１１の底部に設けられている。枠１１にストリングを通すことで形成されたネット２０は縦と横の十字模様に配列されている。縦ストリングのピッチと横ストリングのピッチは６．５ｍｍ〜７．５ｍｍである。【選択図】図１
0003152862.tif 000002
【実用新案登録請求の範囲】
【請求項１】
環状の枠と、該枠の底部に形成され下方に延びる柄と、該柄の下端に装着されたグリップとを有するラケット本体と、
多数のストリングを有するラケットネットと
を備え、
該多数のストリングはそれぞれ該枠に設けられた装着孔にしっかりと装着され、縦と横の十字模様に配列され、該ストリングのうち縦ストリングのピッチは約６．５ｍｍ〜７．５ｍｍであり、横ストリングのピッチは約６．５ｍｍ〜７．５ｍｍである羽根つき用ラケット。
【考案の詳細な説明】
【技術分野】
【０００１】
本考案は、羽根つき用ラケットに関し、特に、羽根を打つ時に改善された性能を有する羽根つき用ラケットに関する。
【背景技術】
【０００２】
図３、図４を参照すると、従来の羽根つき用ラケットは、ラケット本体（３０）と、ラケットネット（４０）とを備える。
ラケット本体（３０）は環状の枠（３１）と、枠（３１）の底部に形成され下方に延びる柄（３２）と、柄（３２）の下端に装着されたグリップとを備える。
ラケットネット（４０）は、枠（３１）の内縁内側のラケット面上の、所定の張力を持つよう編み合わされ枠に通された多数のストリング（４１）から成る。
【０００３】
バドミントンゲームにおいて、全ての競技者は相手をより速い羽根スピードとより強い打力によって負かすことを望む。
従来の羽根つき用ラケットは、バドミントンゲームに特に使用される。しかし、縦ストリングのピッチ（ｄ１）と横ストリングのピッチ（ｄ２）は約８ｍｍである。
縦ストリングのピッチ（ｄ１）と横ストリングのピッチ（ｄ２）が大きすぎるので、ラケットネットの編み合わされたストリング（４１）の密度は小さすぎ、衝撃の多くを吸収する。
従って、ラケットネットの張力は弱い。従来の羽根つき用ラケットが羽根を打つ時、ラケットネットは、羽根からラケットへの衝撃の一部を吸収する。
従って、羽根のスピードは遅くなる。また、より多くの衝撃吸収によって羽根の制御も影響され、羽根を制御できなくなる。
【考案の開示】
【考案が解決しようとする課題】
【０００４】
本考案の主な目的は、より少ない衝撃吸収と、ラケットネットのより大きな張力と、向上された打力と、向上された羽根の制御とを提供する羽根つき用ラケットを提供することである。
【課題を解決するための手段】
【０００５】
この目的を達成するために、本考案は、環状の枠と、該枠の底部に形成され下方に延びる柄と、該柄の下端に装着されたグリップとを有するラケット本体と、多数のストリングを有するラケットネットとを備え、該多数のストリングはそれぞれ該枠に設けられた装着孔にしっかりと装着され、縦と横の十字模様に配列され、該ストリングのうち縦ストリングのピッチは約６．５ｍｍ〜７．５ｍｍであり、横ストリングのピッチは約６．５ｍｍ〜７．５ｍｍである羽根つき用ラケットを提供する。
【考案の効果】
【０００６】
本考案は、次のような多数の利点を有する。
この羽根つき用ラケットは、張力を向上させるストリングの好適な密度を有する。羽根を打つ時に打力が直接羽根に伝えられ、スマッシュのスピードを増加させる。
従って、競技者はこの羽根つき用ラケットを使用することでより強くなる。また、ストリングの好適な密度により、羽根つき用ラケットのスイートスポットの領域が拡大されて打力が向上し、衝撃吸収が低減されて、羽根の制御と打つ精度が向上する。
【考案を実施するための最良の形態】
【０００７】
図１、図２を参照すると、本考案に係る羽根つき用ラケットは、ラケット本体（１０）と、ラケットネット（２０）とを備える。
【０００８】
ラケット本体（１０）は合金（例えば、チタン、ニッケル等）又は複合材（例えば、炭素繊維等）でできていて、環状の枠（１１）と、柄（１２）と、グリップとを備える。枠（１１）は卵形であってよく、その内縁を貫通し間隔を開けて形成された多数の装着孔を有している。柄（１２）は枠（１１）の底部に形成又は装着され下方に延びている。該グリップは、競技者がこのラケットを保持するのに便利なように柄（１２）の下端に装着されている。
【０００９】
ラケットネット（２０）は多数のストリング（２１）から成る。該ストリング（２１）は枠（１１）の前記装着孔にしっかりと装着されて、縦と横の十字模様に配列され、所定の張力を有する。縦ストリングのピッチ（Ｄ１）は約６．５ｍｍ〜７．５ｍｍであり、横ストリングのピッチ（Ｄ２）は約６．５ｍｍ〜７．５ｍｍである。
【００１０】
本考案に係る羽根つき用ラケットは、人々がバドミントンゲームをするのを可能にする。縦ストリングのピッチ（Ｄ１）と横ストリングのピッチ（Ｄ２）は６．５ｍｍ〜７．５ｍｍであり、ストリング（２１）のこの密度は、ラケットネット（２０）の衝撃吸収を減らし、ラケットネット（２０）の強さを増加させるのに好適である。従って、競技者が羽根を打つ時、打力が直接羽根に伝えられ、スマッシュ時のパワーを増大させ、羽根の制御を向上させる。
【図面の簡単な説明】
【００１１】
【図１】本考案に係る羽根つき用ラケットの拡大された前面図である。
【図２】図１の羽根つき用ラケットの編み合わされたストリングの拡大された前面図である。
【図３】従来の羽根つき用ラケットの拡大された前面図である。
【図４】従来の羽根つき用ラケットの編み合わされたストリングの拡大された前面図である。
【符号の説明】
【００１２】
１０  ラケット本体
１１  枠
１２  柄
２０  ラケットネット
２１  ストリング
Ｄ１  縦ストリングのピッチ
Ｄ２  横ストリングのピッチ
３０  ラケット本体
３１  枠
３２  柄
４０  ラケットネット
４１  ストリング
ｄ１  縦ストリングのピッチ
ｄ２  横ストリングのピッチ
【図１】
0003152862.tif 000003
【図２】
0003152862.tif 000004
【図３】
0003152862.tif 000005
【図４】
0003152862.tif 000006
【手続補正書】
【提出日】平成21年6月11日(2009.6.11)
【手続補正１】
【補正対象書類名】実用新案登録請求の範囲
【補正対象項目名】全文
【補正方法】変更
【補正の内容】
【実用新案登録請求の範囲】
【請求項１】
環状の枠と、該枠の底部に形成され下方に延びる柄と、該柄の下端に装着されたグリップとを有するラケット本体と、
多数のストリングを有するラケットネットと
を備え、
該多数のストリングはそれぞれ該枠に設けられた装着孔にしっかりと装着され、縦と横の十字模様に配列され、該ストリングのうち縦ストリングのピッチは約６．５ｍｍ〜７．５ｍｍであり、横ストリングのピッチは約６．５ｍｍ〜７．５ｍｍであるバドミントン用ラケット。
【手続補正２】
【補正対象書類名】明細書
【補正対象項目名】全文
【補正方法】変更
【補正の内容】
【考案の詳細な説明】
【技術分野】
【０００１】
本考案は、バドミントン用ラケットに関し、特に、羽根を打つ時に改善された性能を有するバドミントン用ラケットに関する。
【背景技術】
【０００２】
図３、図４を参照すると、従来のバドミントン用ラケットは、ラケット本体（３０）と、ラケットネット（４０）とを備える。
ラケット本体（３０）は環状の枠（３１）と、枠（３１）の底部に形成され下方に延びる柄（３２）と、柄（３２）の下端に装着されたグリップとを備える。
ラケットネット（４０）は、枠（３１）の内縁内側のラケット面上の、所定の張力を持つよう編み合わされ枠に通された多数のストリング（４１）から成る。
【０００３】
バドミントンゲームにおいて、全ての競技者は相手をより速い羽根スピードとより強い打力によって負かすことを望む。
従来のバドミントン用ラケットは、バドミントンゲームに特に使用される。しかし、縦ストリングのピッチ（ｄ１）と横ストリングのピッチ（ｄ２）は約８ｍｍである。
縦ストリングのピッチ（ｄ１）と横ストリングのピッチ（ｄ２）が大きすぎるので、ラケットネットの編み合わされたストリング（４１）の密度は小さすぎ、衝撃の多くを吸収する。
従って、ラケットネットの張力は弱い。従来のバドミントン用ラケットが羽根を打つ時、ラケットネットは、羽根からラケットへの衝撃の一部を吸収する。
従って、羽根のスピードは遅くなる。また、より多くの衝撃吸収によって羽根の制御も影響され、羽根を制御できなくなる。
【考案の開示】
【考案が解決しようとする課題】
【０００４】
本考案の主な目的は、より少ない衝撃吸収と、ラケットネットのより大きな張力と、向上された打力と、向上された羽根の制御とを提供するバドミントン用ラケットを提供することである。
【課題を解決するための手段】
【０００５】
この目的を達成するために、本考案は、環状の枠と、該枠の底部に形成され下方に延びる柄と、該柄の下端に装着されたグリップとを有するラケット本体と、多数のストリングを有するラケットネットとを備え、該多数のストリングはそれぞれ該枠に設けられた装着孔にしっかりと装着され、縦と横の十字模様に配列され、該ストリングのうち縦ストリングのピッチは約６．５ｍｍ〜７．５ｍｍであり、横ストリングのピッチは約６．５ｍｍ〜７．５ｍｍであるバドミントン用ラケットを提供する。
【考案の効果】
【０００６】
本考案は、次のような多数の利点を有する。
このバドミントン用ラケットは、張力を向上させるストリングの好適な密度を有する。羽根を打つ時に打力が直接羽根に伝えられ、スマッシュのスピードを増加させる。
従って、競技者はこのバドミントン用ラケットを使用することでより強くなる。また、ストリングの好適な密度により、バドミントン用ラケットのスイートスポットの領域が拡大されて打力が向上し、衝撃吸収が低減されて、羽根の制御と打つ精度が向上する。
【考案を実施するための最良の形態】
【０００７】
図１、図２を参照すると、本考案に係るバドミントン用ラケットは、ラケット本体（１０）と、ラケットネット（２０）とを備える。
【０００８】
ラケット本体（１０）は合金（例えば、チタン、ニッケル等）又は複合材（例えば、炭素繊維等）でできていて、環状の枠（１１）と、柄（１２）と、グリップとを備える。枠（１１）は卵形であってよく、その内縁を貫通し間隔を開けて形成された多数の装着孔を有している。柄（１２）は枠（１１）の底部に形成又は装着され下方に延びている。該グリップは、競技者がこのラケットを保持するのに便利なように柄（１２）の下端に装着されている。
【０００９】
ラケットネット（２０）は多数のストリング（２１）から成る。該ストリング（２１）は枠（１１）の前記装着孔にしっかりと装着されて、縦と横の十字模様に配列され、所定の張力を有する。縦ストリングのピッチ（Ｄ１）は約６．５ｍｍ〜７．５ｍｍであり、横ストリングのピッチ（Ｄ２）は約６．５ｍｍ〜７．５ｍｍである。
【００１０】
本考案に係るバドミントン用ラケットは、人々がバドミントンゲームをするのを可能にする。縦ストリングのピッチ（Ｄ１）と横ストリングのピッチ（Ｄ２）は６．５ｍｍ〜７．５ｍｍであり、ストリング（２１）のこの密度は、ラケットネット（２０）の衝撃吸収を減らし、ラケットネット（２０）の強さを増加させるのに好適である。従って、競技者が羽根を打つ時、打力が直接羽根に伝えられ、スマッシュ時のパワーを増大させ、羽根の制御を向上させる。
【図面の簡単な説明】
【００１１】
【図１】本考案に係るバドミントン用ラケットの拡大された前面図である。
【図２】図１のバドミントン用ラケットの編み合わされたストリングの拡大された前面図である。
【図３】従来のバドミントン用ラケットの拡大された前面図である。
【図４】従来のバドミントン用ラケットの編み合わされたストリングの拡大された前面図である。
【符号の説明】
【００１２】
１０  ラケット本体
１１  枠
１２  柄
２０  ラケットネット
２１  ストリング
Ｄ１  縦ストリングのピッチ
Ｄ２  横ストリングのピッチ
３０  ラケット本体
３１  枠
３２  柄
４０  ラケットネット
４１  ストリング
ｄ１  縦ストリングのピッチ
ｄ２  横ストリングのピッチ